(57)【要約】【課題】防振装置を備えたレンズ群をガイドバーに沿って光軸方向に移動可能としたレンズ鏡筒を構成した際に、防振装置の駆動による振動エネルギーによって生じる共振を抑制することが可能となるレンズ鏡筒を提供する。【解決手段】  防振装置を備えたレンズ群を、光軸方向に移動可能に構成されたレンズ鏡筒であって、  前記防振装置を備えたレンズ群を、ガイドバーに沿って光軸方向に移動可能に保持するベース部材と、  前記ベース部材の外周部に保持された付勢部材と、  を有し、前記付勢部材は、前記ベース部材の外周部に設けられた部材に当接して、前記防振装置を駆動した際に発生する振動エネルギーを減衰させる構成とする。【選択図】            図１
2010066690.tif 000002
【特許請求の範囲】
【請求項１】
防振装置を備えたレンズ群を、光軸方向に移動可能に構成されたレンズ鏡筒であって、
前記防振装置を備えたレンズ群を、ガイドバーに沿って光軸方向に移動可能に保持するベース部材と、
前記ベース部材の外周部に保持された付勢部材と、
を有し、前記付勢部材は、前記ベース部材の外周部に設けられた部材に当接して、前記防振装置を駆動した際に発生する振動エネルギーを減衰させることを特徴とする防振装置を備えたレンズ鏡筒。
【請求項２】
前記ベース部材は、２本のガイドバーによって支持され、
前記付勢部材は、前記防振装置を備えたレンズ群が移動する平面方向で前記２本のガイドバーのそれぞれの設置位置を結んだ直線を４５度以上回転させた方向に、付勢可能に構成されていることを特徴とする請求項１に記載の防振装置を備えたレンズ鏡筒。
【請求項３】
前記付勢部材は、ばねと該ばねによって付勢されるラジアル方向に移動可能なピンからなることを特徴とする請求項１または請求項２に記載の防振装置を備えたレンズ鏡筒。
【請求項４】
前記付勢部材は、前記ベース部材の外周部に設けられたカム筒または固定筒に当接可能に構成されていることを特徴とする請求項１から３のいずれか１項に記載の防振装置を備えたレンズ鏡筒。
【請求項５】
前記付勢部材は、前記カム筒に設けられた前記ベース部材を光軸方向に移動させるための第１の係合部に、当接可能に構成されていることを特徴とする請求項４に記載の防振装置を備えたレンズ鏡筒。
【請求項６】
前記ベース部材には、前記ガイドバーの支持部近傍に配されたピン部材を有し、
前記カム筒には、前記ピン部材が係合する第２の係合部が設けられ、
前記第１の係合部と第２の係合部は、互いにそのリフト形状が同一であることを特徴とする請求項５に記載の防振装置を備えたレンズ鏡筒。
【請求項７】
前記レンズ鏡筒が、１群レンズから４群レンズまでを備えた沈胴式鏡筒であり、
前記ベース部材が、３群レンズに前記防振装置を備え、該３群レンズを前記ガイドバーに沿って光軸方向に移動可能に保持する３群ベース部材であることを特徴とする請求項１から６のいずれか１項に記載の防振装置を備えたレンズ鏡筒。
【発明の詳細な説明】
【技術分野】
【０００１】
本発明は、防振装置を備えたレンズ鏡筒に関するものである。
【背景技術】
【０００２】
従来のデジタルカメラ等に用いられる沈胴式の鏡筒では、カム筒の回転によってレンズホルダに保持されたレンズを光軸方向に移動させる機構が、つぎのように構成されている。
例えば、特許文献１に開示されている機構では、図１４に示されるように、カム溝を設けたカム筒１０１と、レンズ１０２とカムピンを有するレンズホルダ１０３によって構成されている。
そして、カム筒が回転すると、カム筒の内周側のカム溝に係合するカムピンが、カム溝のリフトに沿って直進キーにガイドされて光軸方向に移動することで、レンズホルダが光軸方向に移動する。
しかしながら、レンズ枚数の多い高倍率のレンズ鏡筒で特許文献１のような沈胴式の鏡筒では、部品誤差により、それぞれのレンズ光軸を一致させることが必ずしも容易でなく、光学の要求精度を満足しきれないことがあった。
【０００３】
このようなことから、特許文献２では図１５に示されるようなレンズ鏡筒が提案されている。
すなわち、光軸のずれをできるだけ小さくするために、基準レンズを有するレンズホルダ２０１からガイドバー２０２ａ、２０２ｂを設け、このガイドバーに沿って光軸に移動させるようにしたレンズ鏡筒が提案されている。
また最近では、手持ち撮影時において、生じやすい手ぶれに伴う像ぶれを防ぐため、防振装置を搭載したカメラが多くなっている。
【特許文献１】特開２００８−５８５８１号公報
【特許文献２】特許第３６８８７００号公報
【発明の開示】
【発明が解決しようとする課題】
【０００４】
しかしながら、さらに高倍率の沈胴式鏡筒であって、防振装置も搭載したレンズ鏡筒を実現させようとすると、特許文献２のような構成に加え、防振装置を搭載したレンズ群もガイドバーに沿って光軸方向に移動させるような光学系が求められる。
一方、このようなレンズ鏡筒の防振装置においては、手の振れ量を検知し、常にそれを補正するようにレンズを動かしていることから、微小量で常に振動している。
この振動エネルギーはかなり大きいため、防振装置を搭載したレンズ群を単純にガイドバーで支持したレンズ鏡筒では、該防振装置の駆動によって生じるこの振動エネルギーを吸収できずに、共振を起こす恐れを生じる。
【０００５】
本発明は、上記課題に鑑み、防振装置を備えたレンズ群をガイドバーに沿って光軸方向に移動可能としたレンズ鏡筒を構成した際に、防振装置の駆動による振動エネルギーによって生じる共振を抑制することが可能となるレンズ鏡筒の提供を目的とする。
【課題を解決するための手段】
【０００６】
本発明は、上記課題を解決するため、次のように構成した防振装置を備えたレンズ鏡筒を提供するものである。
本発明の防振装置を備えたレンズ鏡筒は、  防振装置を備えたレンズ群を、光軸方向に移動可能に構成されたレンズ鏡筒であって、
前記防振装置を備えたレンズ群を、ガイドバーに沿って光軸方向に移動可能に保持するベース部材と、
前記ベース部材の外周部に保持された付勢部材と、
を有し、前記付勢部材は、前記ベース部材の外周部に設けられた部材に当接して、前記防振装置を駆動した際に発生する振動エネルギーを減衰させることを特徴とする。
また、本発明の防振装置を備えたレンズ鏡筒は、前記ベース部材が、２本のガイドバーによって支持され、
前記付勢部材は、前記防振装置を備えたレンズ群が移動する平面方向で前記２本のガイドバーのそれぞれの設置位置を結んだ直線を４５度以上回転させた方向に、付勢可能に構成されていることを特徴とする。
また、本発明の防振装置を備えたレンズ鏡筒は、前記付勢部材が、ばねと該ばねによって付勢されるラジアル方向に移動可能なピンからなることを特徴とする。
また、本発明の防振装置を備えたレンズ鏡筒は、前記付勢部材が、前記ベース部材の外周部に設けられたカム筒または固定筒に当接可能に構成されていることを特徴とする。
また、本発明の防振装置を備えたレンズ鏡筒は、前記付勢部材が、前記カム筒に設けられた前記ベース部材を光軸方向に移動させるための第１の係合部に、当接可能に構成されていることを特徴とする。
また、本発明の防振装置を備えたレンズ鏡筒は、前記ベース部材には、前記ガイドバーの支持部近傍に配されたピン部材を有し、
前記カム筒には、前記ピン部材が係合する第２の係合部が設けられ、
前記第１の係合部と第２の係合部は、互いにそのリフト形状が同一であることを特徴とする。
また、本発明の防振装置を備えたレンズ鏡筒は、前記レンズ鏡筒が、１群レンズから４群レンズまでを備えた沈胴式鏡筒であり、
前記ベース部材が、３群レンズに前記防振装置を備え、該３群レンズを前記ガイドバーに沿って光軸方向に移動可能に保持する３群ベース部材であることを特徴とする。
【発明の効果】
【０００７】
本発明によれば、防振装置を備えたレンズ群をガイドバーに沿って光軸方向に移動可能としたレンズ鏡筒を構成した際に、防振装置の駆動による振動エネルギーによって生じる共振を抑制することが可能となるレンズ鏡筒を実現することができる。
【発明を実施するための最良の形態】
【０００８】
上記構成によれば、ガイドバーで支持され光軸方向に移動可能とされたレンズ群に搭載されている防振装置を駆動した際に、該装置の振動エネルギーを減衰させ、該装置の振動エネルギーによって生じる共振を抑制することが可能となる。
すなわち、防振装置を駆動した際に発生する振動エネルギーを減衰させる振動エネルギー減衰手段として、前記ベース部材の外周部に保持された付勢部材を、前記ベース部材の外周部に設けられた部材に当接させるように構成する。
具体的には、例えば、図１０に示されるように、３群サブフォロア３２を圧縮ばね３３によって付勢して、カム筒に設けられた３群サブカム溝８ｈに係合させるように構成する。
このような付勢部材は、ばねと該ばねによって付勢されるラジアル方向に移動可能なピンによって構成することができる。
このような付勢部材によれば、手振補正するために防振装置によりレンズを駆動した際に発生する振動エネルギーを減衰させることができ、該振動エネルギーによって生じるレンズ鏡筒の共振を抑制することが可能となる。
【０００９】
その際、前記ベース部材を、２本のガイドバーによって支持するように構成し、
前記付勢部材を、前記防振装置を備えたレンズ群が移動する平面方向で前記２本のガイドバーのそれぞれの設置位置を結んだ直線を４５度以上回転させた方向に、付勢可能に構成することが好ましい。
それは、つぎのような理由による。すなわち、メインバーやサブガイドバーと嵌合穴には摺動可能なように微小なガタが存在している。
このようなガタがあるために、高い周波数では振動が発生し、共振を起こす恐れが生じるが、この共振の原因となる振動エネルギーは、特にメインバー２ｂを中心に回転方向に対する振動が大きい。
そのため、効果的に振動を減衰させるためには、振れ止め方向（メインバー２ｂと、サブガイドバー２ｃとを結ぶ直線と直交方向）を付勢方向として減衰させることが好ましい。
以上のような構成により、防振レンズを搭載したレンズ群をガイドバーに沿って光軸に移動させる際、防振装置による振動エネルギーを上記付勢部材によって吸収することが可能となる。
これにより、レンズ鏡筒全体の共振によって音が鳴ったり、発振によりフィードバック制御が困難になる、等の問題を容易に解消することが可能となる。
【実施例】
【００１０】
以下に、本発明の実施例における防振装置を備えたレンズ鏡筒について説明する。
図１に、本発明の実施例における１群レンズから４群レンズまでを備えた沈胴式鏡筒での、防振装置を搭載した３群レンズの構成を説明する分解斜視図を示す。図２は、図１に示す防振装置を搭載した３群レンズの上面図である。
また、図３は図２のＡ−Ａ断面図であり、図４は図２のＢ−Ｂ断面図である。
【００１１】
先ず、図１〜図４を用いて、本発明の実施例における防振装置を搭載した３群レンズの構成について説明する。
本実施例のレンズ鏡筒は、１群レンズから４群レンズまでを備えた沈胴式鏡筒を構成しており（図５参照）、３群レンズに防振装置が搭載されている。
この３群レンズに搭載された防振装置は、補正レンズＬ３を光軸と垂直な平面内で第１の方向および第２の方向に移動させ、手ぶれなどにより生じる像振れを補正するように構成されている。
なお、ここで、第１の方向とは、カメラの所定方向の角度変化、本実施例では、図２に示す右上がり方向を言う。
また、第２の方向とは、カメラの所定方向に対して直角な角度変化、本実施例では、図２に示す左上がり方向を言う。
補正レンズＬ３は、第１の方向および第２の方向にそれぞれ専用の駆動部および位置検出部により、独立に駆動されて位置決めされる。
【００１２】
図１〜図４において、３１は後述のガイドバーを基準に光軸に移動可能な３群ベース部材である。
後述のメインバー２ｂが嵌合部３１ａおよび３１ｂと嵌合し、メインバー２ｂがこれらの嵌合部材に対して摺動可能に構成されている。
嵌合部３１ａおよび３１ｂはできるだけ光軸方向の間隔を離した方が、防振レンズのガイドバーに対する倒れを最小限に抑えることができるので好ましい。
一方、後述のサブガイドバーと幅方向のみで嵌合している３群振れ止め３１ｃが、前記嵌合部３１ａ，３１ｂとほぼ対角位置に配されている。
この３群振れ止め３１ｃは、メインバーに対する回転止めとして機能し、サブガイドバーと摺動可能に構成されている。
【００１３】
メインバーの近傍には、３群メインフォロア３１ｄ（ピン部材）が設けられている。３群メインフォロア３１ｄ（ピン部材）は、後述のカム溝８ｄ（第２の係合部）と係合しており、該カム溝に倣って光軸方向に移動可能に構成されている。
３群メインフォロア３１ｄをメインバー２ｂの支持部近傍に配置したことによって、３群ベース部材がこじることなく、光軸方向に移動可能となっている。
３１ｅは、後述の３群サブフォロア３２を圧縮ばね３３を挟み込んで保持するフォロア保持部である。
３群サブフォロア３２は、図２に示すように、メインバー２ｂ部とサブガイドバー２ｃとを結ぶ直線に対し、θ（θ＞４５）度回転させた方向に付勢するように配されている。
３群サブフォロア３２は、後述するように、カム筒８のカム溝８ｈに係合することで、手振補正するために防振装置によりレンズを駆動した際に発生する振動エネルギーを減衰させ、該振動エネルギーによって生じるレンズ鏡筒の共振を抑制する機能を有している。
この３群サブフォロア３２の機能については後述する。
【００１４】
３群ベース部材３１は、後述の３つのボールを保持する凹部３１ｆ，３１ｇ，３１ｈと、３つの引張りばね３６を係止するフック形状の係止部３１ｉ，３１ｊ，３１ｋを備える。
さらに、後述の位置検出素子（ホール素子）を保持する保持部３１ｌ、３１ｍを設けられている。
３４は中央のレンズ保持部３４ａに補正レンズＬ３を保持した３群レンズホルダである。
この３群レンズホルダ３４には、引張りばね３６を係止するフック形状からなる係止部３４ｄ，３４ｅ，３４ｆが設けられている。
また、補正レンズＬ３の外周部には、２極に着磁された第１マグネット３４ｂと、同じく補正レンズ２の外周部で、光軸を中心に第１のマグネット３４ｂから９０度回転した位置に第２マグネット３４ｃが一体に形成されている。
マグネット３４ｂ，３４ｃの着磁の方向は図１や図４の通りであるが、着磁の方向は逆転していてもよい。
【００１５】
３５は３つのボールであり、図３に示すように、３群ベース部材３１と３群レンズホルダ３４に挟まれるようにして配される。
３群ベース部材３１に設けられた凹部３１ｆ，３１ｇ，３１ｈ内に１つずつボール３５が配され、光軸と垂直な平面部と接している。
さらに、レンズホルダ３４に設けられた前記平面と対向した位置に、ボール受け面３４ｇ，３４ｈ，３４ｉが設けられていて、３群ベース部材とレンズホルダのそれぞれの平面にボール３５は挟まれるようになっている。
また、３６は引張りばねであり、ボール３５を介して３群ベース部材３１とレンズホルダ３４を光軸方向に付勢している。
詳しくは、３群ベース部材３１に設けられた係止部３１ｉ，３１ｊ，３１ｋと、３群レンズホルダ３４に設けられた係止部３４ｄ，３４ｅ，３４ｆにそれぞれ引張りばねの端部を引っ掛けて付勢している。
【００１６】
３７は３群レンズホルダ３４を間に挟んだ状態で、３群ベース部材３１に固定されるコイルホルダである。
３７ａ部に第１コイル３８ａを保持し、レンズ中心から９０度回転させた位置３７ｂ部に第２コイル３８ｂを保持している。
図４に示すように、前記第１のマグネット３４ｂと第１コイル３８ａ、および前記第２のマグネット３４ｃと第２コイル３８ｂは所定の間隔をもって対向し、磁気回路中に置かれている。
コイル３８ａ，３８ｂに（独立的に）電流を流すことで磁力が発生し、その反発もしくは吸引力によってマグネット３８が移動させられる。
すなわち、マグネット３８が磁力によって移動させられることによって、３群レンズホルダ３４は光軸と平面方向に移動している。
また、３９はホール素子である。３群ベース部材３１の保持部３１ｌ，３１ｍ部に保持され、レンズホルダ３４に形成された第１のマグネット３４ｂおよび第２のマグネット３４ｃと所定の間隔を持って対向している。
ホール素子３９ａ，３９ｂはそれぞれ対向しているマグネットの磁力の変化を検知することによって３群レンズホルダ３４の位置検出を行っている。
不図示のセンサーによってカメラの振れ（揺れ）を検出すると、この振れに起因する像振れを補正するように、不図示のマイコンにてフィードバック制御して補正レンズＬ３（３群レンズホルダ３４）を移動させている。
【００１７】
次に、本実施例における上記のように構成された防振装置を搭載した３群レンズ群を備えたレンズ鏡筒の構成について、図５〜図１３を用いて説明する。
図５に、本発明の実施例における１群レンズから４群レンズまでを備えた沈胴式鏡筒において、防振装置を搭載した３群レンズを備えたレンズ鏡筒を有するカメラを説明する外観斜視図を示す。
図６は図５に示すカメラの正面図である。
図７はレンズ鏡筒の斜視図、図８はレンズ鏡筒部における内部構造を示す図６のＡ−Ａ断面図、図９はレンズ鏡筒部における内部構造を示す図６のＢ−Ｂ断面図、図１０はレンズ鏡筒部における内部構造を示す図６のＣ−Ｃ断面図である。
図１１はレンズ鏡筒部におけるワイド撮影状態の内部構造を示す図６のＡ−Ａ断面図、図１２はレンズ鏡筒部におけるテレ撮影状態の内部構造を示す図６のＡ−Ａ断面図である。
また、図１３はレンズ鏡筒部における内部構造を示す図６のＤ−Ｄ断面図である。
【００１８】
本実施例においては、図５に示すように、カメラ１の前方には、沈胴式鏡筒２が設けられている。
沈胴式鏡筒２は、図８に示すように、１群レンズＬ１、２群レンズＬ２、３群レンズＬ３、および４群レンズＬ４を備えている。
このうち３群レンズは、既に述べた防振装置を搭載したレンズ群であり、４群レンズは光軸方向に移動させて焦点調節を行うレンズ群である。
本実施例では、沈胴およびズームのために、１群レンズ、２群レンズ、３群レンズとも光軸方向に移動する。
【００１９】
図８から図１３において１群レンズＬ１は、周方向に互いに離間して３箇所づつ配置された１群フォロア３ａと、１群フォロア３ａを１群カム溝８ｂに当接するように付勢する１群バネ３ｂ、１群直進溝３ｄを有する１群レンズホルダ３により保持される。
２群レンズＬ２は２群カムピン４ａと光軸方向に伸びるメインバー２ｂおよびサブガイドバー２ｃを有する２群レンズホルダ４により保持される。
３群レンズＬ３は既述の通りであり、４群レンズＬ４は４群レンズホルダ６により保持される。
またシャッターユニット７はＳＨカムピン７ａとＳＨスリーブ７ｂ、ＳＨ振れ止め７ｃを有している。
図２に示されるように、メインバー２ｂには３群ベース部材の嵌合部３１ａ，３１ｂにて移動可能に嵌合し、ＳＨスリーブ７ｂにて嵌合し、光軸方向に移動可能に嵌合している。
さらに図２に示されるように、サブガイドバー２ｃは３群振れ止め３１ｃとＳＨ振れ止め７ｃが光軸方向に移動可能に嵌合している。
【００２０】
１群レンズホルダ３の内周側、かつ２群レンズホルダ４の外周側には、カム筒８および固定筒９が配置されている。
カム筒８は光軸中心に回転し、外周部にギア部８ａと１群カム溝８ｂが設けられ、内周部に２群カム溝８ｃ、３群メインカム溝８ｄ、３群サブカム溝８ｈ、ＳＨカム溝８ｅ、カム筒駆動カム溝８ｇが設けられている。
３群メインカム溝８ｄと、３群サブカム溝８ｈは、互いにカムのリフト形状が同じである。
１群ばね３ｂによって１群フォロア３ａが内径側に付勢され、１群カム溝８ｂと当接するように構成されている。
また、３群サブカム溝８ｈに対しては、図１０に示されるように、３群サブフォロア３２を圧縮ばね３３によって付勢して、この３群サブカム溝８ｈに係合させるように構成されている。
【００２１】
固定筒９の外周壁には光軸方向に延びる貫通長穴状の２群直進溝９ａが周方向に互いに離間して３箇所づつ配置されている。
また、２群直進溝９ａと同位相の固定筒９上端面には１群直進キー９ｃが形成されている。
２群直進溝９ａには、２群カムピン４ａが光軸方向に移動可能に嵌合している。１群直進キー９ｃには１群直進溝３ｄが光軸方向に移動可能に嵌合している。
【００２２】
また、図１３に示されるように、固定筒９の外周部には固定筒フォロア９ｂが周方向に互いに離間して３箇所づつ設けられている。
固定筒フォロア９ｂの内少なくともひとつは、固定筒バネ部９ｄによってカム筒８のカム筒駆動カム溝８ｇに付勢され、その反力で残る２つの固定筒フォロア９ｂもカム筒駆動カム溝８ｇに押し付けられる。
１０は駆動ギア、１１はズーム駆動装置、１２はメイン基板、１３は鏡筒フレキ、１４はＣＣＤホルダ、１５は公知のボイスコイルを用いた４群駆動装置である。
ＣＣＤホルダ１４は固定筒９、駆動ギア１０、ズーム駆動装置１１、４群駆動装置１５を保持し、カメラ１に固定される。
また、メイン基板１２は不図示の配線を介してＣＣＤプレート２５上のＣＣＤに接続され、このＣＣＤプレート２５上のＣＣＤは鏡筒２によって結像される被写体像を撮影し公知のデジタルカメラとして機能する。
【００２３】
次に、本実施例における沈胴式鏡筒２の動作について詳細に説明する。
図７に示されるメイン基板１２から鏡筒フレキ１３を介してズーム駆動装置１１に通電するとカム筒８のギア部８ａに連結する駆動ギア１０を介してカム筒８が固定筒９の周りを回転する。
カム筒８が回転すると、カム筒８の内周側の１群カム溝８ｂに係合する１群フォロア３ａは、１群カム溝８ｂのリフトに沿って１群直進溝３ｄに嵌合する１群直進キー９ｃにガイドされて光軸方向に移動する。
同様に、カム筒８が回転すると、カム筒８の内周側の２群カム溝８ｃに係合する２群カムピン４ａは、２群カム溝８ｃのリフトに沿って２群直進溝９ａにガイドされて光軸方向に移動する。
同じく、カム筒８が回転すると、カム筒８の内周側の３群メインカム溝８ｄに係合する３群メインフォロア３１ｄは、３群メインカム溝８ｄのリフトに沿ってメインバー２ｂおよびサブガイドバー２ｃにガイドされて光軸方向に移動する。
さらには、３群メインカム溝８ｄと同一カム形状を持つ３群サブカム溝８ｈと、３群サブフォロア３２とが係合し、光軸方向に移動するのを補助している。
【００２４】
また、カム筒８が回転すると、カム筒８の内周側のＳＨカム溝８ｅに係合するＳＨカムピン７ａは、ＳＨカム溝８ｅのリフトに沿ってメインバー２ｂおよびサブガイドバー２ｃにガイドされて光軸方向に移動する。
さらに、固定筒９の外周の固定筒フォロア９ｂにカム筒駆動カム溝８ｇが係合するカム筒８は、回転するとカム筒駆動カム溝８ｇのリフトに沿って図１３の状態から光軸方向に移動する。
４群レンズＬ４は４群駆動装置１５によって、光軸方向に進退移動され合焦動作を行う。
このように、１群レンズホルダ３と２群レンズホルダ４、３群レンズホルダ５、４群レンズホルダ６．シャッターユニット７、カム筒８が光軸方向に移動することで、鏡筒２は図８から図１０に示される沈胴状態から図１１に示すワイド撮影状態に移動する。
さらに、カム筒８が回転することで図１２に示されるテレ撮影状態に移動する。
【００２５】
以下に、本実施例におけるサブフォロアの機能について詳細に述べる。
先ずこのような鏡筒において、従来のレンズ鏡筒のように、防振レンズ群（３群）に付勢されたサブフォロアが設けられていない場合を想定する。
防振装置が手振れに応じて補正しようとしたレンズ補正駆動周波数と、メカ共振数とが一致してしまった場合、レンズ鏡筒全体の共振によって音が鳴ったり、発振によりフィードバック制御が困難になる、等の問題が起こる。
これは、手振補正するために防振装置によりレンズを駆動した際に発生する振動エネルギーを減衰させる機構が備えられていないため、振動エネルギーが鏡筒全体に伝わってしまうためである。
【００２６】
これに対して、本実施例のように、サブフォロアを付勢する付勢部材によって防振レンズ群の外周部に設けられた筒部品に当接させた構成によれば、振動エネルギーを付勢部材にて減衰させることができ、共振を防ぐことが可能になる。
すなわち、本来、防振レンズ群がメインバーやサブガイドバーにしっかり固定されていれば、振動を起こすことはないはずだが、実際にはメインバーやサブガイドバーと嵌合穴には摺動可能なように微小なガタが存在している。
このようなガタがあるために、高い周波数では振動が発生し、共振を起こす恐れが生じる。
【００２７】
この振動エネルギーは、特にメインバー２ｂを中心に回転方向に対する振動が大きい。
そのため、効果的に振動を減衰させるためには、振れ止め方向（メインバー２ｂと、サブガイドバー２ｃとを結ぶ直線と直交方向）を付勢方向として減衰させることが好ましい。
このようなことから、本実施例では、メインバーとサブガイドバーとを結ぶ直線を４５度以上回転させた方向に付勢するように構成される。
【００２８】
また、付勢部材を介した３群サブフォロア３２を接触させる部品として、前記ベース部材の外周部に設けられたカム筒８または固定筒９に当接可能とすることができる。その際、カム筒８に設けられた３群サブカム溝８ｈに係合させるように構成することが望ましい。
３群サブカム溝８ｈ（第１の係合部）と、３群メインカム溝８ｄ（第２の係合部）とは、互いにそのリフト形状が同一とされている。
そのため、この溝に係合していることによって、３群メインフォロア３１ｄと３群サブフォロア３２の２点で、３群レンズのズーム平面を決定することができる。
このような構成のもとで、例えば、付勢部材を、前記ベース部材の外周部に設けられたカム筒８または固定筒９に当接可能に構成されているだけの場合には、接触面が摩擦になって、ズーム時に３群レンズが倒れる可能性がある。
この摩擦はズームする方向によって逆転する。すなわち、３群レンズの倒れる方向が変わることになり、レンズ性能に影響を及ぼす可能性がある。
これに対して、上記した本実施例のように３群サブカム溝８ｈに係合させるようにすることで、このようなレンズ性能に及ぼす影響を、カム筒８または固定筒９に当接可能に構成されているだけの場合に比して抑制することができる。
【００２９】
なお、上記した本実施例では、防振装置を搭載した３群レンズのズーム時の光軸方向の移動には、カム溝に倣うことで行うようにした構成例について説明したが、本発明はこのような構成に限定されるものではない。
本発明においては、ガイドバーによって支持されて直進移動する構成になっていればよく、例えば、ステッピングモータなどによって光軸方向に移動させる機構であっても構わない。
【図面の簡単な説明】
【００３０】
【図１】本発明の実施例における１群レンズから４群レンズまでを備えた沈胴式鏡筒において、防振装置を搭載した３群レンズの構成を説明する分解斜視図。
【図２】本発明の実施例における防振装置を搭載した３群レンズの構成を説明する図１の上面図。
【図３】本発明の実施例における防振装置を搭載した３群レンズの構成を説明する図２のＡ−Ａ断面図。
【図４】本発明の実施例における防振装置を搭載した３群レンズの構成を説明する図２のＢ−Ｂ断面図。
【図５】本発明の実施例における１群レンズから４群レンズまでを備えた沈胴式鏡筒において、防振装置を搭載した３群レンズを備えたレンズ鏡筒を有するカメラを説明する外観斜視図。
【図６】本発明の実施例における図５に示すカメラの正面図。
【図７】本発明の実施例におけるレンズ鏡筒の斜視図。
【図８】本発明の実施例のレンズ鏡筒部における内部構造を示す図６のＡ−Ａ断面図。
【図９】本発明の実施例のレンズ鏡筒部における内部構造を示す図６のＢ−Ｂ断面図。
【図１０】本発明の実施例のレンズ鏡筒部における内部構造を示す図６のＣ−Ｃ断面図。
【図１１】本発明の実施例のレンズ鏡筒部におけるワイド撮影状態の内部構造を示す図６のＡ−Ａ断面図。
【図１２】本発明の実施例のレンズ鏡筒部におけるテレ撮影状態の内部構造を示す図６のＡ−Ａ断面図。
【図１３】本発明の実施例のレンズ鏡筒部における内部構造を示す図６のＤ−Ｄ断面図。
【図１４】従来例である特許文献１におけるレンズ鏡筒を説明する図。
【図１５】従来例である特許文献２におけるレンズ鏡筒を説明する図。
【符号の説明】
【００３１】
Ｌ１：１群レンズ
Ｌ２：２群レンズ
Ｌ３：３群レンズ
Ｌ４：４群レンズ
１：カメラ
２：沈胴式鏡筒
３１：３群ベース部材
３１ｄ：３群メインフォロア
３２：３群サブフォロア
３３：圧縮ばね
３４：３群レンズホルダ
３５：ボール
３６：引張りばね
３７：コイルホルダ
３８：マグネット
３９：ホール素子
８：カム筒
８ｄ：３群メインカム溝
８ｈ：３群サブカム溝
【図１】
2010066690.tif 000003
【図２】
2010066690.tif 000004
【図３】
2010066690.tif 000005
【図４】
2010066690.tif 000006
【図５】
2010066690.tif 000007
【図６】
2010066690.tif 000008
【図７】
2010066690.tif 000009
【図８】
2010066690.tif 000010
【図９】
2010066690.tif 000011
【図１０】
2010066690.tif 000012
【図１１】
2010066690.tif 000013
【図１２】
2010066690.tif 000014
【図１３】
2010066690.tif 000015
【図１４】
2010066690.tif 000016
【図１５】
2010066690.tif 000017